(57)【要約】【課題】２列のニードル列を有する経編機により編成される袋状経編地として、個々の製品に分離する際のカッティング作業を容易に行え、ひいては運動に合わせた伸縮性や強度を有する無縫製の編地製品を容易に得ることができるようにする。【解決手段】２列のニードル列を有する経編機により編成される２枚の編地を、所定の製品パターンの形状に応じて両編地の対面方向に連結編成して製品になる袋状本体部を形成した袋状経編地Ａとし、対面する両編地を、それぞれ少なくとも１枚の筬の糸Ｙ１によるデンビ組織を基本にして編成し、デンビ編組織のみの部分１１を介在させて外側にジャカード筬の糸Ｙ２によるダブルデンビ編組織もしくはハーフ編組織を編成した分離用の切除部１０を設ける。【選択図】図５
2008248456.tif 000002
【特許請求の範囲】
【請求項１】
２列のニードル列を有する経編機の各ニードル列で編成される２枚の編地を、所定の製品パターンの形状に応じて両編地の対面方向に連結編成して製品になる袋状本体部を形成した袋状経編地であって、対面する前記両編地がそれぞれ少なくとも１枚の筬によるデンビ組織を基本にして編成されており、前記袋状本体部の縁部に沿って、前記デンビ編組織のみの部分を介在させて外側にダブルデンビ編組織もしくはハーフ編組織を編成した分離用の切除部が設けられてなることを特徴とする袋状経編地。
【請求項２】
袋状経編地の対面する両編地が、少なくともダブルデンビ編組織とハーフ編組織とを有する編組織からなる請求項１記載の袋状経編地。
【請求項３】
袋状経編地の対面する両編地の編組織において、ダブルデンビ編組織の占める割合が３０〜６０％、ハーフ編組織の占める割合が２０〜５０％である請求項２記載の袋状経編地。
【請求項４】
袋状本体部の縁部において、対面する両編地がダブルデンビ編組織もしくはハーフ編組織にて編成されて連結編成されている請求項１乃至３のいずれか１項に記載の袋状経編地。
【請求項５】
袋状経編地の対面する両編地が、少なくとも１枚の筬によるデンビ編組織に対し、ジャカード筬による編組織が組み合わされた編組織で編成されてなる請求項１乃至４のいずれか１項に記載の袋状経編地。
【請求項６】
ジャカード筬により導糸される糸が弾性糸である請求項５に記載の袋状経編地。
【請求項７】
請求項１乃至請求項６のいずれか１項記載の袋状経編地よりなり、袋状本体部の縁部に沿って設けられてた切除部をカットしてなる衣料。
【請求項８】
２列のニードル列を有する経編機の各ニードル列で編成される２枚の編地を、所定の製品パターンの形状に応じて両編地の対面方向に連結編成して製品になる袋状本体部を形成した袋状経編地の製造方法であって、対面する前記両編地をそれぞれ少なくとも１枚の筬によるデンビ組織を基本にして編成し、前記袋状本体部の縁部に沿って、前記デンビ編組織のみの部分を介在させて外側にダブルデンビ編組織もしくはハーフ編組織を編成して、分離用の切除部を設けることを特徴とする袋状経編地の製造方法。
【発明の詳細な説明】
【技術分野】
【０００１】
本発明は、２列のニードル列を有する経編機、例えばダブルラッシェル機により一体編成されてなる袋状経編地、特には無縫製衣料などの編地製品を得るための袋状経編地とこれによる衣料及び袋状経編地の製造方法に関する。
【背景技術】
【０００２】
従来、衣料などの編地製品は、丸編、経編などの布帛を用い、縫製により製品化されてきた。
【０００３】
しかし、縫製工程によるコストアップ、縫製部による着用感の悪さや見栄えの悪さが問題となり、これらを解消した、所謂、無縫製衣料などの商品が製品化されてきている。
【０００４】
一般に、無縫製衣料などの商品は、ダブルラッシェル機などの複数のニードルバーを有するダブルニードル列経編機を用いて、所定の製品パターンの形状に応じて、前方のニードル列により一方側の地組織を編成すると共に、後方のニードル列によって他方側の地組織を編成し、同時に、両方の地組織の周縁部において、両地組織を接結して編成されている。
【０００５】
これらの無縫製の編地製品の多くは、地組織の編成において、図７の例のように、１枚の筬（地筬）Ｂを鎖編組織（実線）で編成し、ジャカード筬で柄やメッシュなどの所謂ジャカード組織（破線）を編成していた。すなわち、地筬の１枚を鎖編みにして各ウエル間の編地緯方向（コース方向）での繋がりを無くし、ジャカード筬で製品のパターンを編成するとともに、該ジャカード筬の組織で前記鎖編の各列を繋ぐように編成して構成していた。
【０００６】
しかし、地組織に鎖編組織を入れると、鎖編組織の挿入方向（編方向）の伸縮が少なくなる。また、鎖編の場合、編地緯方向のシンカーループによる繋がりがないため、ジャカード筬の編組織を利用して、例えば図７のようなデンビ編組織のシンカーループのみで編地緯方向の繋がりをつけているため、編地自体の強度が弱く、伸縮性を必要とする衣料には不向きであり、運動時に製品が破けるなどの虞があった。そのため、運動に合わせた伸縮性や強度を有する製品の開発が必要であった。
【０００７】
また、経編製の編地製品は平面的に編成されているため、これを用いたパンツの両脚部やシャツの胴部に対する両袖部などの他の編地部との分離を必要とする部分や、腕周りなどの部分は窮屈であり、着用感に劣るものであった。
【０００８】
これらの問題に関して、特許文献１及び２には、あらかじめ股間や脇部に余分編成部分となる細幅編地部を、その左右を筒状編地と分離して編成し、前記股部や脇部等の従来窮屈であった部分に余裕をもたせて着用感を向上させた編地を作成し、編成後、該余分編成部分を切除する編地製品としての衣類及びその製造方法が開示されている。
【０００９】
しかし、特許文献１及び２のいずれの場合も、前記編地を編成後、熱処理加工を施すと、余分編成部分と袋状編地部の間は、コースに沿う編地緯方向の繋がりがないために離間し、該離間部を有することで筒状編地部が収縮変形する問題があった。
【００１０】
これを解決するものとして、特許文献３には、２列のニードル列を有する経編機の各ニードル列で編成してなる経編地を、所定のパターン形状に応じて両経編地の対面方向に連結編成して袋状経編地となし、前記袋状経編地に編地幅方向で連結編糸による連結部分を形成して一体に連結編成した連続袋状経編地を得、前記連結編糸の除去により連結部分を無くし、個別の製品に対応する袋状経編地に分離形成する構成とすること、これにより、着用時に残留平編地部による違和感を感じず、外観に優れた一体成形袋状経編地が得られることが記載されている。
【特許文献１】実開昭４９−９４６０号公報
【特許文献２】特開２００１−１６４４４８号公報
【特許文献３】特開２００１−３０３４１２号公報
【発明の開示】
【発明が解決しようとする課題】
【００１１】
しかしながら、特許文献３に記載されている、袋状経編地に編地幅方向で連結編糸による連結部分を形成して一体に連結編成した連続袋状経編地から、連結編糸の除去により個別の袋状経編地に分離形成する方法では、加熱処理などを加えると、連結編糸が熱収縮し連結部分が縮小して確認しづらくなり、ひいては連結編糸を切断し除去することが困難になる虞がある。
【００１２】
本発明は、上述のような問題を解決し、２列のニードル列を有する経編機により一体に編成される袋状経編地として、編地の経緯両方向に所定の強度及び伸縮性を保有できて、しかも個々の製品に分離する際のカッティング作業を容易に行え、ひいては運動に合わせた伸縮性や強度を有する無縫製の編地製品を容易に得ることができる袋状経編地と衣料及び袋状経編地の製造方法を提供しようとするものである。
【課題を解決するための手段】
【００１３】
本発明者は、上記課題を解決するために、次のような手段を採用するものである。
【００１４】
すなわち、本発明は、（１）２列のニードル列を有する経編機の各ニードル列で編成される２枚の編地を、所定の製品パターンの形状に応じて両編地の対面方向に連結編成して製品になる袋状本体部を形成した袋状経編地であって、対面する前記両編地がそれぞれ少なくとも１枚の筬によるデンビ組織を基本にして編成されており、前記袋状本体部の縁部、すなわち袋状本体部の両サイドの経方向部分に沿って、前記デンビ編組織のみの部分を介在させて外側にダブルデンビ編組織もしくはハーフ編組織を編成した分離用の切除部が設けられてなることを特徴とする袋状経編地である。
【００１５】
また、（２）袋状経編地の対面する両編地が、少なくともダブルデンビ編組織とハーフ編組織とを有する編組織からなる前記（１）記載の袋状経編地である。
【００１６】
また、（３）袋状経編地の対面する両編地の編組織において、ダブルデンビ編組織の占める割合が３０〜６０％、ハーフ編組織の占める割合が２０〜５０％である前記（１）又は（２）記載の袋状経編地である。
【００１７】
また、（４）袋状経編地の製品パターンの縁部において、対面する両編地がダブルデンビ編組織もしくはハーフ編組織にて編成されて連結編成されている前記（１）乃至（３）のいずれか一つに記載の袋状経編地である。
【００１８】
また、（５）袋状経編地の対面する両編地が、少なくとも１枚の筬によるデンビ編組織に対し、ジャカード筬による編組織が組み合わされた編組織で編成されてなる前記（１）乃至（４）のいずれか一つに記載の袋状経編地である。
【００１９】
また、（６）ジャカード筬により導糸される糸が弾性糸である前記（５）記載の袋状経編地である。
【００２０】
また、本発明は、（７）前記（１）乃至（６）のいずれか一つに記載の袋状経編地よりなり、袋状本体部の縁部に沿って設けられてた切除部をカットして形成してなる衣料も特徴とする。
【００２１】
本発明は、前記（１）〜（６）の発明の袋状経編地の製造方法として、（８）２列のニードル列を有する経編機の各ニードル列で編成される２枚の編地を、所定の製品パターンの形状に応じて両編地の対面方向に連結編成して製品になる袋状本体部を形成した袋状経編地の製造方法であって、対面する前記両編地をそれぞれ少なくとも１枚の筬によるデンビ組織を基本にして編成し、前記袋状本体部の縁部に沿って、前記デンビ編組織のみの部分を介在させて外側にダブルデンビ編組織もしくはハーフ編組織を編成して、分離用の切除部を設けることを特徴とする。
【発明の効果】
【００２２】
本発明の袋状経編地によれば、対面する両編地が、デンビ編組織を基本にして編成されて経緯両方向に繋がっており、これに他の編組織が組み合わされることで、編方向及び編幅方向に所定の安定した伸縮性及び強度を保有できる。また、前記袋状本体部の縁部が、分離用の切除部とデンビ編組織により各コースで安定性よく連結されているため、熱処理などによって製品になる袋状本体部が過度に収縮する虞がない。
【００２３】
しかも、前記袋状本体部の縁部と、これに沿って設けられた分離用の切除部との間がデンビ編組織のみの部分、特にデンビ編組織のシンカーループのみにより連結されているため、該連結部分のウエル間が切除部の編地部分よりも開くことになって、該連結部分を確認しやすく、且つ前記シンカーループによる連結部分をカットするのも容易になる。
【００２４】
従って、本発明の袋状経編地及びその製造方法によれば、前記デンビ編組織のみの部分をカットして分離用の切除部を切除して、袋状本体部を個々の製品に容易に分離することができ、ひいては、分離された製品に窮屈感を生じることがなく、編地経緯方向の強度や伸縮性の安定した無縫製の衣料などの編地製品を容易に得ることができる。
【発明を実施するための最良の形態】
【００２５】
次に本発明の実施の形態を図面に示す実施例に基づいて説明する。
【００２６】
図１は、本発明に係る袋状経編地の一例として、パンツ形の製品パターンで連続して袋状経編地を編成している例を示し、図２は同上の袋状経編地の一単位を製品に分離した略示斜視図である。
【００２７】
この袋状経編地は、前後２列のニードル列を有するダブルラッシェル機等の経編機、特には前後２列のニードル列のそれぞれに対応して、前後にそれぞれに少なくとも１枚の筬（地筬）と、これとは別に少なくとも１枚のジャカード筬を備える経編機により編成されてなる。
【００２８】
すなわち、前記経編機の前後２列のニードル列で対面する２枚、例えば表裏２枚の編地を編成するとともに、該表裏２枚の編地を、製造対象の所定の製品パターン（パンツ形）の形状に応じた輪郭に沿って両編地の対面方向に連結編成することにより、製品になる袋状本体部１を形成した袋状経編地Ａを一体編成している。図１の場合は、編地緯方向（幅方向）に三つの袋状経編地Ａが並列してかつ編方向（編地経方向）に連続して編成された連続袋状経編地とされている。
【００２９】
前記袋状経編地Ａは、パンツ形の製品パターンの１単位毎に、最終的に製品になる袋状本体部１から切り離される捨て編部２が一体に編成され、該捨て編部２の左右に隣接して脚部用袋部３，３が形成されており、前記袋状本体部１における前記脚部用袋部３，３を含む外側縁部、並びに前記脚部用袋部３，３の内側縁部において表裏２枚の前記両編地が連結編成されることにより、前記袋状本体部１の上部と前記脚部用袋部３，３が連続した袋状に形成されている。
【００３０】
そして、前記袋状本体部１における他の編地部と連続する連結編成された縁部の個所、すなわち編地幅方向の前記各袋状経編地Ａ，Ａ間の破線で示す境界部分４、及び前記脚部用袋部３と前記捨て編部２との間の破線で示す境界部分５には、それぞれ後述するように、製品になる袋状本体部１の両サイドの経方向部分の縁部に沿って分離用の切除部１０が設けられている。
【００３１】
なお、前記捨て編部２の上端部は２枚の編地を連結する連結編成部６を介して前記袋状本体部１の上部と連続して編成され、さらに、編方向において前記製品パターンの袋状経編地Ａの製品単位（リピート）毎のカットラインの部分も、２枚の編地を連結する連結編成部７を介して連続編成されている。前記カットラインの部分は、必ずしも対面する２枚の編地を連結編成する必要はないが、実施上は２枚の編地を連結編成しておくほうが、編地が安定し、染色、ヒートセット、洗浄などの仕上げ処理の際の取り扱いが容易になり好ましい。
【００３２】
前記２枚の編地の連結編成による袋状経編地Ａは、図３のように、少なくとも前記袋状本体部１において対面する表裏２枚の両編地が、それぞれ少なくとも１枚の筬（地筬）により導糸される糸Ｙ１がデンビ編組織（シングルデンビ）にて編成され、このデンビ編組織に対して、他の編組織、例えはばジャカード筬により導糸される糸Ｙ２の編組織を組み合わせて編成される。
【００３３】
ジャカード筬は、各編糸を導糸するガイドニードルが、筬の運動とは別に１針分の変位が左右の１方向に付与されるように設けられており、この変位がジャカードにより制御されるものであり、例えば、１針振りの１×１のデンビ編組織を基本にする場合、任意のコースで筬の変位運動に対し１針分の余分な変位を付加することにより、２針振りの１×２のコード組織としたり、同一ウエル内に保持される組織とすることができるものである。
【００３４】
前記ジャカード筬の糸Ｙ２の編組織により、任意のジャカード柄を編成するほか、図３のように、該ジャカード筬の糸Ｙ２の編組織を、前記地筬の糸Ｙ１のデンビ編組織とは逆方向のデンビ編組織とすることにより、ダブルデンビ編組織の編地を編成することも、また、図４のように、前記ジャカード筬の糸Ｙ２の編組織を１×２のコード編組織にして、前記地筬の糸Ｙ１のデンビ編組織と組み合わせることにより、ハーフ編組織の編地を編成することもできる。
【００３５】
前記のように、袋状経編地Ａの対面する２枚の編地が、デンビ編組織を基本にして他の編組織、例えば前記のジャカード組織を組み合わせる組織としたことにより、他の編組織がどのようなものであっても、前記デンビ編組織の隣接ウエルにわたるシンカーループが各コース各ウエル間に存在していることになり、これにより編地全体としての各ウエルの編地緯方向の繋がりできる。しかも、このデンビ編組織に対し、前記ジャカード組織などの他の編組織が組み合わされて、該編組織による繋がりが加わることでウエル間の繋がりが大きくなり、編地経方向はもちろん編地幅方向（緯方向）の強度や伸縮性が大きくなる。
【００３６】
特に、図３のダブルデンビ編組織は、図７のように地筬の糸Ｙ１の鎖編組織に対してジャカード筬の糸Ｙ２をデンビ編組織にして連結するように構成した場合に比して、緯方向のウエル間の繋がりが２倍以上になり、緯方向の強度及び伸縮力が増加することになる。また、図４のジャカード筬の糸を２針振りのコード編組織にして、前記地筬による糸のデンビ編組織と組み合わせたハーフ編組織の場合、編地緯方向の繋がりがさらに大きく強くなり、緯方向の伸縮性が大きくなる。
【００３７】
さらに、本発明の袋状経編地Ａにおいては、図５のように、製品になる前記袋状本体部１の縁部、特に並列する他の袋状経編地Ａおよび前記捨て編部２などの他の編地部と連接される縁部１ａに沿って、前記デンビ編組織のみの部分１１を介在させて外側にダブルデンビ編組織もしくはハーフ編組織を編成して構成した分離用の切除部１０が設けられている。
【００３８】
図５の場合、前記切除部１０は、２ウエル以上の幅、好ましくは１０ウエル以下（図５の場合は２ウエル） の幅を持つ細幅の編地部分１２を有し、該編地部分１２が前記の１枚の筬（地筬）の糸Ｙ１によるデンビ編組織と、前記ジャカード筬の糸Ｙ２による逆向きのデンビ編組織との組み合わせによるダブルデンビ編組織とされている。前記ジャカード筬の糸Ｙ２をコード編組織とすることにより、前記編地部分１２を図４のようなハーフ編組織とすることもできる。
【００３９】
また、前記袋状本体部１の縁部１ａに沿う前記デンビ編組織のみの部分１１は、デンビ編組織の隣接ウエルにわたるシンカーループＹ１−１のみによる連結部分であり、例えば、前記のジャカード筬の糸Ｙ２のうちの前記縁部１ａの側端に位置する糸Ｙ２−１については、ジャカード制御により前記切除部１０の編地部分１２のウエルには渡らせない組織にすることにより、前記袋状本体部１の縁部１ａのウエルと、切除部１０の編地部分１２の端部のウエルとの間においてジャカード筬の糸Ｙ２をなくし、前記デンビ編組織のシンカーループＹ１−１のみが存するように編成する。
【００４０】
図の場合、前記切除部１０の前記袋状本体部１の縁部１ａとの対向側とは反対側においても、例えば別の袋状経編地Ａあるいは前記捨て編部２などの他の編地部との間に、前記と同様の構成によるデンビ編組織のみの部分１１を形成して、該デンビ編組織のシンカーループＹ１−１のみで連結する構成とすることにより、前記切除部１０を前記デンビ編組織のみの部分１１でカットして分離できるようになっている。
【００４１】
なお、製品になる袋状本体部１の輪郭をなす縁部１ａでは、例えば表裏２枚の編地におけるジャカード筬の糸が前後２列のニードル列の双方に給糸されることにより連結編成されるが、図５では、連結編成の組織は省略して示している。
【００４２】
前記の分離用の切除部１０によると、図５のように、製品になる前記袋状本体部１の縁部１ａが、デンビ編組織のみの部分１１を介在させてダブルデンビ編組織もしくはハーフ編組織を編成した分離用の切除部１０の編地部分１２と、前記デンビ編組織のシンカーループＹ１−１により各コースで連結されている。そのため、前記袋状本体部１の縁部１ａと切除部１０との連結状態が安定し、ひいては該切除部１０を介して連結される他の編地部との連結状態も安定し、熱処理などによって製品になる袋状本体部１が過度に収縮する虞がない。
【００４３】
しかも、前記分離用の切除部１０のダブルデンビ編組織もしくはハーフ編組織の編地部分１２では、シンカーループがＸ状になっているために、前記デンビ編組織のみの部分１１、特にはデンビ編組織のシンカーループＹ１−１のみによる連結部分に比して各ウエルが相互に引き寄せられることになり、その結果、図６に略示するように、前記デンビ編組織のみの部分１１のウエル間が開くことになる。そのため、前記袋状経編地Ａの袋状本体部１を個々の製品に分離する際、前記シンカーループＹ１−１による連結部分を見分け易く、且つ前記シンカーループＹ１−１による連結部分をカットするのも容易になる。
【００４４】
特に、前記袋状本体部１の縁部１ａがダブルデンビ編組織もしくはハーフ編組織で編成されることにより、該袋状本体部１の縁部１ａもシンカーループがＸ状になっているために各ウエルが相互に引き寄せられることになり、該縁部１ａと前記切除部１０の編地部分１２との間のデンビ編組織のシンカーループＹ１−１による連結部分がさらに見分け易く、かつカットし易くなる。
【００４５】
従って、本発明の袋状経編地Ａによれば、前記デンビ編組織のシンカーループＹ１−１による連結部分をカットし前記切除部１０を切除するのも容易になり、以て個々の製品に容易に分離することができ、ひいては、製品になる袋状本体部１に窮屈感を生じることがなく、編地緯方向の伸縮性や強度の安定した無縫製衣類などの編地製品を得ることができる。
【００４６】
前記の袋状経編地Ａは、ジャカード筬により導糸する糸にポリウレタン弾性糸、あるいはポリウレタンと合撚したカバーリング糸やポリエステル弾性糸を使用した編地とすることができ、これにより伸縮性の良い袋状経編地を得ることができ、しかも前記分離用の切除部１０においては前記デンビ編組織のみの部分１１を容易に確認できることになる。その際、前記デンビ編組織のみの部分１１の幅は０．５〜３．０ｍｍが好ましい。
【００４７】
なお、本発明の袋状経編地１において、対面する両編地の編組織としては、ダブルデンビ編組織とハーフ編組織とを単独で構成することも、また前記両編組織を組み合わせた構成することもできる。実施上は、少なくともダブルビ編組織とハーフ編組織とを有する編組織からなるものとするのが好ましい。この組み合わせの編組織の場合、ダブルデンビ編組織の編地全体に占める比率は３０％〜６０％で、ハーフ編組織の編地全体に占める比率が２０％〜５０％であるもの（ダブルデンビ編組織とハーフ編組織だけで１００％に成らないものを含む）がより好ましい。
【００４８】
すなわち、ダブルデンビ編組織が３０％未満の場合は、ハーフ編組織の伸縮力のある編地部分が多くなるため、着用時に締め付け感があり、伸縮時に強い力が必要になり、ダブルデンビ編組織とハーフ組織部の境で皺になる虞があり、またダブルデンビ編組織が６０％以上の場合は、伸縮性糸を使用した伸縮性編地の場合に、ハーフ編組織による編幅方向の伸縮力が不足し、編地の保形性が劣る虞がある。また、前記ハーフ編組織が２０％未満の場合は、伸縮力の編地が少ないために為着用時に伸縮力が劣り編地の保形性が悪くダブルデンビ編組織とハーフ編組織の境で皺になる虞があり、５０％以上の場合は伸縮力が強くなるため着用時に締め付け感があり伸縮時に強い力が必要となる虞がある。従って、前記ダブルデンビ編組織は３０〜６０％の範囲が好ましく、またハーフ組織部は２０％〜５０％の範囲が好ましい。
【００４９】
本発明において、製品パターンとは、パンツのほか、シャツ、その他の袋状経編地よりなる無縫製の衣料その他の各種の編地製品のパターンを指している。
【産業上の利用可能性】
【００５０】
本発明の袋状経編地及びその製造方法は、２列のニードル列を有する経編機、例えばダブルラッシェル機により編成される無縫製の衣料などの各種編地製品に好適に利用できる。
【図面の簡単な説明】
【００５１】
【図１】本発明に係る袋状経編地の一例として、パンツ形のパターンで連続して編成している例の編成状態の略示図である。
【図２】同上の袋状経編地の一単位を製品に分離した略示斜視図である。
【図３】同上の一方の編地の編組織の一例を示す組織図（ａ）と、一部を拡大した図（ｂ）である。
【図４】同上の一方の編地の編組織の他の例を示す組織図（ａ）と、一部を拡大した図（ｂ）である。
【図５】袋状本体部の縁部に沿う分離用の切除部の構成を示す組織図である。
【図６】同上の切離部の組織の概念図である。
【図７】従来の袋状経編地の袋状本体部の編組織の例を示す組織図である。
【符号の説明】
【００５２】
Ａ…袋状経編地、１…袋状本体部、１ａ…縁部、２…捨て編部、３…脚部用袋部、４，５…境界部分、６，７…連結編成部、１０…分離用の切除部、１１…デンビ編組織のみの部分、１２…編地部分、Ｙ１…地筬の糸、Ｙ１−１…シンカーループ、Ｙ２…ジャカード筬の糸、Ｙ２−１…縁部側端に位置する糸。
【図１】
2008248456.tif 000003
【図２】
2008248456.tif 000004
【図３】
2008248456.tif 000005
【図４】
2008248456.tif 000006
【図５】
2008248456.tif 000007
【図６】
2008248456.tif 000008
【図７】
2008248456.tif 000009